(57)【要約】様々の構成の多数の成形重合体パネルを、固着要素を有する上向きステップと下向きステップとを交互に備えた側面に沿って、機械的に相互に固定することで、様々の寸法および形状のパッティンググリーンが提供される。各パネルは、平らな上面と底面一体化グリッド支持構造とをもつ。疑似芝生が結合されたパネルの上に重ねられる。隆起パッドが、起伏のあるグリーンを提供するためにパネルの上面と疑似芝生の間に任意選択で配置される。
2006512997.tif 000002
【特許請求の範囲】
【請求項１】
携帯用ゴルフパッティングおよびチッピング練習用グリーンにおいて、
不規則な多数の側面構造の多数の成形重合体パネルであって、各側面が交互に並ぶ上向きと下向きに面するステップをもち、隣接するパネルの前記ステップが互いに係合して、相補的な上向きと下向きに面するステップの対を形成し、一体の本体として成形された各重合体パネルが、平らな上面と前記上面を支持するグリッド構造とをもち、
１つのパネルの前記側面の前記ステップが機械的に隣接するパネルの相補的ステップに取り付けられた重合体パネルと、
前記取り付けられた多数の成形重合体パネルの前記平らな上面を覆う疑似芝生層とを含む携帯用ゴルフパッティングおよびチッピング練習用グリーン。
【請求項２】
前記疑似芝生が人工芝生である請求項１に記載の携帯用ゴルフパッティングおよびチッピング練習用グリーン。
【請求項３】
前記疑似芝生がカーペットである請求項１に記載の携帯用ゴルフパッティングおよびチッピング練習用グリーン。
【請求項４】
前記成形重合体パネルの前記ステップが、前記パネルを機械的に共にロック固定するために、隣接するパネルからの前記ステップ上の凹面ディンプルに係合する１つのステップから相補的に突出した凸面をもつ請求項１に記載の携帯用ゴルフパッティングおよびチッピング練習用グリーン。
【請求項５】
前記ステップが、別の隣接するパネルからの相補的な下向き、および上向きに面するステップ内の穿孔を通るねじによって機械的に取り付けられる請求項１に記載の携帯用ゴルフパッティングおよびチッピング練習用グリーン。
【請求項６】
前記ステップが、１つのステップ内の穿孔を通りかつ隣接するパネル内の相補的なステップ内のねじ式インサートに係合するねじによって、機械的に取り付けられる請求項１に記載の携帯用ゴルフパッティングおよびチッピング練習用グリーン。
【請求項７】
少なくとも１つのパネルが、上面にゴルフボールを収容するために弓形のカップ開口をもち、前記カップの内部表面が環状フランジを備える請求項１に記載の携帯用ゴルフパッティングおよびチッピング練習用グリーン。
【請求項８】
前記弓形のカップの環状フランジが、前記カップ内部の環状カラーを支持する請求項７に記載の携帯用ゴルフパッティングおよびチッピング練習用グリーン。
【請求項９】
前記環状フランジが前記パネルの上面と近接する上面をもつプラグを支持する請求項７に記載の携帯用ゴルフパッティングおよびチッピング練習用グリーン。
【請求項１０】
等高線をもつ隆起パッドが、前記隆起パッドの上に取り付けられた擬似芝生層内の１つのホールと軸方向に一直線に並べられた前記カップとホールを備える前記重合体パネルの前記上面に取り付けられる請求項１に記載の携帯用ゴルフパッティングおよびチッピング練習用グリーン。
【請求項１１】
携帯用ゴルフパッティングおよびチッピング練習用グリーンにおいて、
機械的に共に結合された多数の重合体パネルであって、一体の本体として成形された各重合体パネルが平らな上面と底面グリッド構造と多数の側面とをもつ多数の重合体パネルと、
交互に並ぶ下向きと上向きに面するステップをもつ共に結合された各パネルの側面であって、１つのパネルの前記上向きに面するステップが１つの隣接するパネルの１つの側面の下向きに面するステップに嵌め合う各パネルの側面と、
前記結合された多数の成形重合体パネルの前記平らな上面を覆う疑似芝生層とを含む携帯用ゴルフパッティングおよびチッピング練習用グリーン。
【請求項１２】
前記嵌め合いステップは、近接するパネルの隣接する側面上の凹面ディンプルに入る相補的な凸面突起物によって機械的に結合される請求項１１に記載の携帯用ゴルフパッティングおよびチッピング練習用グリーン。
【請求項１３】
バンパーレールが１つの側面で前記パネルを囲む請求項１１に記載の携帯用ゴルフパッティングおよびチッピング練習用グリーン。
【請求項１４】
携帯用ゴルフパッティングおよびチッピング練習用グリーンにおいて、
多数の一体型の区画化された成形重合体パネルであって、各パネルが、側面に交互に並ぶ下向きと、上向きに面するステップと、平らな上面と、前記上面の下のグリッド構造と少なくとも１つの成形重合体パネルの前記上面から下向きに突出した環状カップとをもち、前記カップがゴルフボールを受けるように適合される成形重合体パネルと、
前記パネルが隣接する側面に沿って機械的に共に結合され、
前記結合された成形重合体パネルの前記平らな上面を覆う疑似芝生層とを含む携帯用ゴルフパッティングおよびチッピング練習用グリーン。
【請求項１５】
重合体パネルが、繊維で満たされたポリプロピレンから成形される請求項１４に記載の携帯用ゴルフパッティングおよびチッピング練習用グリーン。
【請求項１６】
前記重合体パネルが、圧縮成形で形成される請求項１４に記載の携帯用ゴルフパッティングおよびチッピング練習用グリーン。
【請求項１７】
隆起パッドが、前記パネルの平らな上面の部分の上で、かつ前記擬似芝生の下に取り付けられる請求項１４に記載の携帯用ゴルフパッティングおよびチッピング練習用グリーン。
【請求項１８】
前記疑似芝生が人工芝生である請求項１４に記載の携帯用ゴルフパッティングおよびチッピング練習用グリーン。
【請求項１９】
前記パネルが、隣接するパネルの側面上のステップ内の凹面ディンプルと係合する凸面突起物を備える１つのパネルの１つの側面内のステップによって機械的に共に結合される請求項１４に記載の携帯用ゴルフパッティングおよびチッピング練習用グリーン。
【請求項２０】
前記パネルが、隣接するパネル内の相補的なステップを通るねじによって機械的に共に結合される請求項１４に記載の携帯用ゴルフパッティングおよびチッピング練習用グリーン。
【発明の詳細な説明】
【技術分野】
【０００１】
本発明は、練習用のゴルフパッティングおよびチッピンググリーンに関する。より詳細には、それは、区画化された重合体パネルが、舌と溝のまたは他の機械的ロック固定機構によって共に保持される多数の区画化された重合体パッティングおよびチッピンググリーンに関連する。
【背景技術】
【０００２】
ゴルフにおける拡大する興味が、ゴルフ練習用の用具、特にパッティングおよびチッピンググリーンの要求を生み出してきた。正確にパッティングをしまたチッピングをする能力が、普通のゴルファと優れたゴルファを区別する。ゴルフのパッティング技術を改善する関心と共に、米国特許第６３０２８０３号の携帯用ゴルフパッティンググリーンが開発された。この特許に記載された携帯用ゴルフパッティンググリーンは商業的に受け入れられ、その所期の目的を果たしているが、特定の市場に適した変形形態の必要が存在する。
【発明の開示】
【発明が解決しようとする課題】
【０００３】
特に、安価なインドア／アウトドア用のパッティングおよびチッピンググリーンの必要が存在する。
【課題を解決するための手段】
【０００４】
本出願の本発明は、人工のインドア／アウトドア用グリーンを作るために、ロック固定機構によって、様々な方向の隣接するパネルに取り付け可能な多数の一体式の区画化された重合体パネルである。共に固定されたパネルは、パッティンググリーンまたはチッピングができるグリーンをシミュレートするパッティング面を作るために疑似芝生層で覆われる。多数の重合体パネルが、底面グリッド構造と一体化した滑らかで平らな上面を用意するために、圧縮、吹込、射出または他の成形プロセスによって準備される。ロック固定機構が、隣接する重合体パネルに並置された各パネルの端部に取り付けられる。
【０００５】
本発明を、添付の図面と共に考慮するとき、以下の詳細な説明を参照することによって当分野の技術者は最もよく理解することができる。
【０００６】
以下の詳細な説明全体を通して、すべての図において、同一の参照番号は、同一の要素を示す。
【発明を実施するための最良の形態】
【０００７】
最初に図１Ａ、１Ｂおよび２を参照すると、練習用グリーン１０は、機械的に共にロック固定された多数のパネルをもつ湾曲したユニットである。各パネル１２、１４、１６、１８および２４は、第１の平らな上面２５と一体式グリッド底部４０とをもつ重合体ユニットである。各パネルは、パットされたゴルフボールを受けるためのカップ２０およびボール取り出しスタンド２２またはプラグ２７をもつ。
【０００８】
内部パネル２４、ならびにパネル１２、１４、１６および１８は、図３に示すように舌と溝のロック固定機構をもつ。各パネルは、隣接するパネルに対向する各側面５２に舌２６をもつ。スロット２８がパネルの底面３４のフランジ３２にフィラープレート３０を取り付けることによって形成される。図４、５Ａおよび５Ｂを参照されたい。
【０００９】
各パネルは、図５Ｃ−Ｅに示すようにカップ２０をもつ。カラー４２は、カップ２０内部のフランジ４３上に置かれる。ホールを示す旗竿２２の底部４１は、カラー４２内部のカップ２０内に置かれる。カップが特定のパネルで必要ない場合には、プラグ２７がフランジ４３に挿入され、したがってプラグ２７の上面４７がパネルの平らな面２５に近接する。
【００１０】
いずれのサイドパネルも、図６−９に示されるように、任意選択の隆起エッジまたはパネル内に成形されたバンプレール３６をもつことができる。あるいは、パッティンググリーン１０が、図１Ｂに示されるように盛土３９の外側の砂床上に設置される場合、それを、隣接する芝生を備えたその隆起のないエッジにおいて羽根を付けることができ、したがって、練習用グリーンを旗２２に向かう直接のチップショットに使用することができる。
【００１１】
パッティンググリーン１０は、使用されるパネルの数および使用されるパネルの構造によって様々な形状をとることができる。正方形のパネル１２または２４は、ほぼ３４インチの正方形である。３４インチの正方形のパネルは約２．２５インチのデッキの高さをもち、より大きい４４インチの正方形のパネルは約３．０インチのデッキの高さをもつ。これらのパネルを使用することにより、完全な連続した１８ホールを、様々な外部形状で構成することができる。
【００１２】
図１Ａに示すように、疑似芝生３８は、バンプレール３６の底部エッジに適合し、したがって完全なパッティング面を与える。あるいは、図１Ｂに示すように、疑似芝生３８の外側エッジが土３９で覆われる。連続する近接した隆起パッド３７を、パネルと疑似芝生３８の中間面２５に配置することができる。
【００１３】
パネル２４の平らな上部２５と一体であるグリッド構造４０が、図５Ａおよび５Ｂに示すようにパネルを支持する。
【００１４】
図１０および１１に示すように、舌２６と溝２８の構造を備えるパネルは、最初にパネル２４を図１０の矢印で示された方向に、その後、図１１の矢印で示された方向に摺動させることによって、隣接するパネルに取り付けられる。図１２に示すように、ねじ４４を、パネルが係合解除するのを防止するために、上面４２の穿孔４６を通って、また舌２６の相補的な穿孔４８を通ってねじ込むことができる。釘４５を、穴４６を通って芝生またはパネルの下の砂に打ち込むことができる。
【００１５】
棒５０がパネル２４の側面５２から突出している第１の交互に並ぶロック固定機構を図１３に示す。パネルを共にロック固定し係合解除を防止するために、合釘５０が隣接するパネルの側面スロット５４に、また釘４４がパネルの上面の穿孔４６を通り、棒５０の穿孔５６を通って挿入される。
【００１６】
各パネルが、相補的な底部と上部リップそれぞれに連結する上部リップ５８と底部リップ６０をもつ第２の交互に並ぶロック固定機構を図１４に示す。パネルは、４つのパネルの隅が集まる点で三角スロット６４に適合する星形の舌６２によって共に保持される。
【００１７】
図１５は、第３の交互に並ぶロック固定機構を示す。カム式のＳ字フック６６が、重合体パネル側面５２の側面スロット６８内に取り付けられる。側面５２が集められた後で、アレンレンチを回すことによって、Ｓ字フックが対向するスロット６８の後部エッジと係合する。各側面５２は１つのＳ字フックと１つのスロット６８をもつ。
【００１８】
プラットフォームパネル７０を、図１６−１７に示すようなパッティング用スタンドを提供するために練習用グリーン１０の端部に結合することができる。
【００１９】
各重合体パネルユニット１２、１４、１６、１８および２４は、平らな上面２５と一体であるグリッド構造４０を底部に備えて圧縮成形、吹込成形または射出成形される。重合体パネルの使用することができる他のタイプの成形は、低圧流動成形、回転成形、構造用フォーム射出成形、真空成形および反応射出成形を含む。人工芝生または羊毛繊維または重合体繊維製のカーペットを、パッティング練習用グリーン１０の疑似芝生面３８用に使用することができ、それは、隆起エッジ３６のベースで端から端まで敷かれる。
【００２０】
重合体パネル１２、１４、１６、１８および２４の成形および作成に使用される重合体は、ポリエチレン、ポリプロピレンおよびそれらの共重合体などの高強度重合体、ならびにポリウレタン製など構造用フォームのいずれでもよい。ガラス繊維で満たされた補強用の鎖が、強度を増加させるために重合体に加えられる。
【００２１】
近接する隆起パッド３７は、図１８―３０に示されるように隆起パッド７２、７４、７６または７８から共に結合される。これらの隆起パッドは、パネル上に通常の平らな面２５の代わりに起伏を与えるために任意のパネル面２５内の穿孔８２に挿入することができる底面の釘８０をもつ。これらのパッド７２、７４、７６または７８は、ゴルファに追加のパッティングの挑戦を提供し、ならびに、実際のパッティング面をより現実的にシミュレートするために、パネルの上の疑似芝生３８の下に配置される。パッドは、底面の浅いグリッド面８４と穴８２をパネルに係合させるための下向きに下がるピン８０とをもつ。パッド上の切り欠き８６を、カップ２０を収容するために使用することができる。隆起パッドはパネルと同じように、同じ材料から成形される。
【００２２】
第４の別の重合体エッジパネル９０を図３１−４０に示す。パネル９０は上向き側面ステップ９２と下向き側面ステップ９４とをもつ。ステップ９４は、下面１０２に下向きに突起する凸状突起物１００を含む。ステップ９２は、図３２および３３に示すように、上面９８に凹状ディンプル９６を含む。隣接するパネル９０を共に摺動させて、凸状突起物１００を凹状ディンプル９６内に係合させる。プライバー９７を、図３４に示すように、隣接するパネル９０を係合解除するために側面スロット９９に挿入する。
【００２３】
パネル９０用に説明されたように使用されたロック固定機構を、図３５に示すように、パネル区画１２４を長くするためのパッティンググリーンの後部区画１２２をロック固定するためにも使用することができる。バンパーレール１１６が、パネル１２２および１２４の側面に取り付けられる。約８分の１インチの厚さの薄いゴムマット１３０を、パッティンググリーンに起伏を与えるために芝生層３８の下に挿入することができる。より高い起伏を、１３０の上の第２ゴムマット１３２によって実現することができる。
【００２４】
パネル９０用の別のロック固定機構を、図３６−４０に示す。穿孔１０４が各下向きに面するステップ９４の上のパネル９０の上面に開けられ、穿孔１１０が、各上向きに面するステップ９２の上面に開けられる。図３６−４０に示すように、ねじ１０８が、パネル９０を共に結合させるために穿孔１０４および１１０を通ってねじ込まれる。乳頭突起物１１２が、図３６に示すように、パネル９０の隅を共に結合するためにくぼみ１１４内にガイドされる。別のねじ１２０およびインサート１１８を、図３９−４０に示すように、パネル９０を共に結合するために、図３７−３８に示すようにねじ１０８の代用とすることができる。上の記載は本発明を使用する特定の構造的な詳細を説明している。しかし、この携帯用ゴルフパッティングおよびチッピング練習用グリーンの基本的な発明の概念の趣旨および範囲を逸脱せずに修正を加えることは当分野の技術者の中にあるであろう。本発明は説明された構造に限定されず、ゴルフパッティング練習用グリーンの要素に実質的に等価であるようなそのような修正形態を含む。
【図面の簡単な説明】
【００２５】
【図１Ａ】エッジの等高線を示す本発明のパッティンググリ−ンの配置の斜視図である。
【図１Ｂ】隣接する土に特徴づけられたパッティング面を示す本発明のパッティンググリ−ンの配置の斜視図である。
【図２】共に固定されて、図１Ａに示す配置を形成する様々の形状の多数の重合体パネルの斜視図である。
【図３】図２の配置に使用される内部重合体パネルの１形状の斜視図である。
【図４】構成部品を示す図３の重合体パネルの上面分解図である。
【図５Ａ】構成部品を示す図３の重合体パネルの底面分解図である。
【図５Ｂ】図３の重合体パネルの底面図である。
【図５Ｃ】図３の線５Ｃ−５Ｃに沿った側面断面図である。
【図５Ｄ】重合体パネル内におけるカップ構造の構成要素の分解図である。
【図５Ｅ】プラグおよびカップの分解図である。
【図６】図２からの第１の重合体エッジパネルの斜視図である。
【図７】図２からの第２の重合体エッジパネルの斜視図である。
【図８】図２からの第３の重合体エッジパネルの斜視図である。
【図９】図２からの第４の重合体エッジパネルの斜視図である。
【図１０】舌と溝の機械的ロック固定システムに加えて、重合体パネルをロック固定する第１ステップの斜視図である。
【図１１】さらなるロック固定のステップを示す図１０によるパネルの斜視図である。
【図１２】共にロック固定された４つのパネルを示す図１０によるパネルの斜視図である。
【図１３】第１の交互に並ぶ機械的ロック固定機構を用いて共にロック固定される多数の重合体パネルの斜視図である。
【図１４】第２の交互に並ぶ機械的ロック固定機構を用いて共にロック固定される多数の重合体パネルの斜視図である。
【図１５】第３の交互に並ぶ機械的ロック固定機構を用いて共にロック固定される多数の重合体パネルの斜視図である。
【図１６】パッティング練習用スタンドの斜視図である。
【図１７】本発明による別のパッティンググリーン配置の斜視図である。
【図１８】パッティング面の傾きを調節するための第１補助薄パネルの上面斜視図である。
【図１９】図１８の線１９−１９に沿った薄パネルの断面図である。
【図２０】図１８の線２０−２０に沿った薄パネルの断面図である。
【図２１】図１８の薄パネルの底面斜視図である。
【図２２】パッティング面の傾きを調節するための第２補助薄パネルの上面斜視図である。
【図２３】図２２の線２３−２３に沿った薄パネルの断面図である。
【図２４】図２２の線２４−２４に沿った薄パネルの断面図である。
【図２５】パッティング面の傾きを調節するための第３補助薄パネルの上面斜視図である。
【図２６】図２５の線２６−２６に沿った薄パネルの断面図である。
【図２７】図２５の線２７−２７に沿った薄パネルの断面図である。
【図２８】パッティング面の傾きを調節するための第４補助薄パネルの上面斜視図である。
【図２９】図２８の線２９−２９に沿った薄パネルの断面図である。
【図３０】図２８の線３０−３０に沿った薄パネルの断面図である。
【図３１】ロック固定機構を備える別のパネルの斜視図である。
【図３２】共にロック固定される準備のできた図３１の隣接する重合体エッジパネルを示す側面断面図である。
【図３３】共にロック固定された図３１の隣接する重合体エッジパネルを示す側面断面図である。
【図３４】パネルの側面のスロットにプライバーを挿入した図３１のパネルの斜視図である。
【図３５】図３１のロック固定機構を備えたパネルを使用するパッティンググリーンの斜視図である。
【図３５Ａ】２つのゴムマットの斜視図である。
【図３６】隣接するパネルの結合を容易にするためのねじ用追加穿孔を備える図３１による別のパネルの斜視図である。
【図３７】図３６の隣接するパネルを共にロック固定するためのねじの使用を示す側面断面図である。
【図３８】共にロック固定され、ねじで固定して確実に結合された図３６の２つの隣接するパネルを示す側面断面図である。
【図３９】図３６の隣接するパネルを共にロック固定するためのねじおよびねじ式インサートの使用を示す側面断面図である。
【図４０】共にロック固定され、ねじおよびねじ式インサートで固定して確実に結合された図３６の２つの隣接するパネルを示す側面断面図である。
【図１Ａ】
2006512997.tif 000003
【図１Ｂ】
2006512997.tif 000004
【図２】
2006512997.tif 000005
【図３】
2006512997.tif 000006
【図４】
2006512997.tif 000007
【図５Ａ】
2006512997.tif 000008
【図５Ｂ】
2006512997.tif 000009
【図５Ｃ】
2006512997.tif 000010
【図５Ｄ】
2006512997.tif 000011
【図５Ｅ】
2006512997.tif 000012
【図６】
2006512997.tif 000013
【図７】
2006512997.tif 000014
【図８】
2006512997.tif 000015
【図９】
2006512997.tif 000016
【図１０】
2006512997.tif 000017
【図１１】
2006512997.tif 000018
【図１２】
2006512997.tif 000019
【図１３】
2006512997.tif 000020
【図１４】
2006512997.tif 000021
【図１５】
2006512997.tif 000022
【図１６】
2006512997.tif 000023
【図１７】
2006512997.tif 000024
【図１８】
2006512997.tif 000025
【図１９】
2006512997.tif 000026
【図２０】
2006512997.tif 000027
【図２１】
2006512997.tif 000028
【図２２】
2006512997.tif 000029
【図２３】
2006512997.tif 000030
【図２４】
2006512997.tif 000031
【図２５】
2006512997.tif 000032
【図２６】
2006512997.tif 000033
【図２７】
2006512997.tif 000034
【図２８】
2006512997.tif 000035
【図２９】
2006512997.tif 000036
【図３０】
2006512997.tif 000037
【図３１】
2006512997.tif 000038
【図３２】
2006512997.tif 000039
【図３３】
2006512997.tif 000040
【図３４】
2006512997.tif 000041
【図３５】
2006512997.tif 000042
【図３５Ａ】
2006512997.tif 000043
【図３６】
2006512997.tif 000044
【図３７】
2006512997.tif 000045
【図３８】
2006512997.tif 000046
【図３９】
2006512997.tif 000047
【図４０】
2006512997.tif 000048
【手続補正書】
【提出日】平成16年6月16日(2004.6.16)
【手続補正１】
【補正対象書類名】特許請求の範囲
【補正対象項目名】全文
【補正方法】変更
【補正の内容】
【特許請求の範囲】
【請求項１】
多数の剛性の区画を構成する携帯用ゴルフパッティングおよびチッピング練習用グリーンにおいて、各区画が平らな上面とリブ付きの底面と多数の側面とをもち、隣接する区画の前記側面が共に結合され、人工芝生で覆われた前記結合された区画がゴルフボールを受けるために前記ホールの下に重合体区画内にカップを備える環状のホールをもつ携帯用ゴルフパッティングおよびチッピング練習用グリーンであって、
前記区画それぞれが、交互に並ぶ上向きと下向きに面するステップの側面構造をもち、隣接するパネルの前記ステップが互いに係合して、相補的な上向きと下向きに面するステップの対を形成し、１つのパネルの前記側面の前記ステップが、隣接するパネルの相補的なステップに機械的に取り付けられることを特徴とする本発明の携帯用ゴルフパッティングおよびチッピング練習用グリーン。
【請求項２】
カーペットである前記人工芝生であることを特徴とする請求項１に記載の携帯用ゴルフパッティングおよびチッピング練習用グリーン。
【請求項３】
前記パネルを機械的に共にロック固定するために、隣接するパネルからの前記ステップ上の凹状ディンプルに係合する、１つのステップからの相補的に突出した凸面をもつ前記セクションの前記ステップを特徴とする請求項１に記載の携帯用ゴルフパッティングおよびチッピング練習用グリーン。
【請求項４】
隣接するパネルからの相補的な下向き、および上向きに面するステップ内の穿孔を通るねじによって機械的に共に取り付けられた前記ステップを特徴とする請求項１に記載の携帯用ゴルフパッティングおよびチッピング練習用グリーン。
【請求項５】
１つのステップ内の穿孔を通る１つのねじによって機械的に共に取り付けられ、また隣接する１つのパネル内の相補的なステップ内のねじ式インサートに係合する前記ステップを特徴とする請求項１に記載の携帯用ゴルフパッティングおよびチッピング練習用グリーン。
【請求項６】
ゴルフのボールを収容するための上面内の弓形カップ開口と、環状フランジをもつ前記カップの内面とをもつ少なくとも１つのパネルを特徴とする請求項１に記載の携帯用ゴルフパッティングおよびチッピング練習用グリーン。
【請求項７】
前記カップ内部に１つの環状カラーを支持する前記弓形のカップの環状フランジを特徴とする請求項６に記載の携帯用ゴルフパッティングおよびチッピング練習用グリーン。
【請求項８】
前記パネルの上面に近接する上面をもつ１つのプラグを支持する前記環状フランジを特徴とする請求項６に記載の携帯用ゴルフパッティングおよびチッピング練習用グリーン。
【請求項９】
バンパーレールによって囲まれた２つまたはそれ以上の結合されたセクションの１つの側面を特徴とする請求項１に記載の携帯用ゴルフパッティングおよびチッピング練習用グリーン。
【請求項１０】
ポリプロピレンによって満たされた圧縮成形繊維によって形成される各セクションを特徴とする請求項１に記載の携帯用ゴルフパッティングおよびチッピング練習用グリーン。
【国際調査報告】
2006512997.tif 000049